(57)【要約】【課題】  空気浄化能力を向上し、流入空気の量を増加できるサイクロン原理を用いた空気清浄機を提供する。【解決手段】  内部に空気流路１２５を有する本体１００と、本体１００に並列に設置されて空気流路１２５と連通する多数のサイクロン１１０とを含み、本体１００の側板１２４には、粒子を含む外部空気を本体１００の空気流路１２５に流入する多数の吸入孔１２４ａが形成され、各サイクロン１１０の下部には、空気と分離された粒子の排出を案内する第１吐出ユニット１１１ｃが形成され、各サイクロン１１０の上部には、第２吐出ユニット１１３が形成されてサイクロン空気清浄機を構成する。【選択図】      図１
2006167708.tif 000002
【特許請求の範囲】
【請求項１】
内部に空気流路を有する本体と、該本体に並列に設置されて前記空気流路と連通する多数のサイクロンとを含み、
前記本体の側板には、粒子を含む外部空気を前記本体の空気流路に流入する多数の吸入孔が形成され、前記各サイクロンの下部には、空気と分離された粒子の排出を案内する第１吐出ユニットが形成され、前記各サイクロンの上部には、第２吐出ユニットが形成されることを特徴とするサイクロン空気清浄機。
【請求項２】
前記空気流路の空気を前記各サイクロンの内部に案内するための多数の案内ユニットをさらに含むことを特徴とする請求項１に記載のサイクロン空気清浄機。
【請求項３】
前記案内ユニットは、各サイクロンの前記第２吐出ユニットの周りに形成されることを特徴とする請求項２に記載のサイクロン空気清浄機。
【請求項４】
前記案内ユニットは、前記各サイクロンの外部に設けられて前記空気流路と連通する第１案内溝と、該第１案内溝に流入された空気を前記各サイクロンに向けて案内する案内ダクトと、該案内ダクトから延長されて前記サイクロンの内部と連通する第２案内溝とを含むことを特徴とする請求項２に記載のサイクロン空気清浄機。
【請求項５】
前記第１案内溝の第１深さは、前記第２案内溝の第２深さよりも深いことを特徴とする請求項４に記載のサイクロン空気清浄機。
【請求項６】
前記第２案内溝は、前記各サイクロンの内面に向かうように形成されることを特徴とする請求項４に記載のサイクロン空気清浄機。
【請求項７】
前記第１案内溝及び前記第２案内溝は、前記第２吐出ユニットに対して対向するように配置されることを特徴とする請求項４に記載のサイクロン空気清浄機。
【請求項８】
前記第２吐出ユニットは、前記各サイクロンの内部に下側に突出する下側突出部を含むことを特徴とする請求項１に記載のサイクロン空気清浄機。
【請求項９】
前記本体の下部には、前記各サイクロンの第１吐出ユニットを通して排出される分離された粒子を集める集塵ユニットが設置されることを特徴とする請求項１に記載のサイクロン空気清浄機。
【請求項１０】
前記本体の上部には、前記各サイクロンから浄化空気を集め、集められた浄化空気を吐出する吐出案内ユニットが設置されることを特徴とする請求項１に記載のサイクロン空気清浄機。
【請求項１１】
前記吐出案内ユニットの内部には、送風ファンが設置されることを特徴とする請求項１０に記載のサイクロン空気清浄機。
【請求項１２】
前記吐出案内ユニットの内部には、フィルタが設置されることを特徴とする請求項１０に記載のサイクロン空気清浄機。
【請求項１３】
前記多数の吸入孔は、本体周囲の外部空気を吸入するように前記側板に分散・配列されることを特徴とする請求項１に記載のサイクロン空気清浄機。
【請求項１４】
前記多数の吸入孔は、外部空気を全周にかけて吸入するように前記側板の全周に沿って分散・配列されることを特徴とする請求項１に記載のサイクロン空気清浄機。
【請求項１５】
前記多数のサイクロンは、各同心円上に配置されることを特徴とする請求項１に記載のサイクロン空気清浄機。
【請求項１６】
空気流路を形成する上板及び下板と、外部空気が前記空気流路に流入されるように案内する多数の吸入孔が形成された側板と、を含む円筒状の第１本体と、
該第１本体に並列に設置されて前記空気流路とそれぞれ連通し、上部は前記上板の開口部に配置され、下部は前記下板を貫通して第１吐出ユニットを形成する多数のサイクロン本体と、
前記上板の各開口部をカバーするカバー部が設けられ、前記各カバー部に前記サイクロンから浄化空気の吐出を案内する第２吐出ユニットが形成された第２本体とを含むことを特徴とするサイクロン空気清浄機。
【請求項１７】
前記第１本体には、前記各サイクロン本体の外部の上板に案内孔が形成され、
前記第２本体には、前記案内孔を通して前記空気流路から流入された空気を前記各サイクロン本体の内部に案内するための多数の案内ユニットが設けられることを特徴とする請求項１６に記載のサイクロン空気清浄機。
【請求項１８】
前記各案内ユニットは、前記第２吐出ユニットの周りに形成されることを特徴とする請求項１７に記載のサイクロン空気清浄機。
【請求項１９】
前記各案内ユニットは、各サイクロン本体の外部に配置され、前記空気流路と連通する第１案内溝と、該第１案内溝に流入された空気を前記各サイクロン本体に向けて案内する案内ダクトと、該案内ダクトから延長されて前記各サイクロン本体の内部と連通する第２案内溝と、を含むことを特徴とする請求項１７に記載のサイクロン空気清浄機。
【請求項２０】
前記第１案内溝の第１深さは、前記第２案内溝の第２深さより深いことを特徴とする請求項１９に記載のサイクロン空気清浄機。
【請求項２１】
前記第２案内溝は、前記各サイクロン本体の内面に向かうように形成されることを特徴とする請求項１９に記載のサイクロン空気清浄機。
【請求項２２】
前記第１案内溝及び前記第２案内溝は、前記第２吐出ユニットに対して対向するように配置されることを特徴とする請求項１９に記載のサイクロン空気清浄機。
【請求項２３】
前記第２吐出ユニットは、前記各サイクロン本体の内部に向かって下側に突出する下側突出部を含むことを特徴とする請求項１７に記載のサイクロン空気清浄機。
【請求項２４】
前記第１本体の上板及び前記各サイクロン本体は、一体に形成されることを特徴とする請求項１６に記載のサイクロン空気清浄機。
【請求項２５】
前記第１本体の下部には、前記各サイクロンの第１吐出ユニットを通して排出される分離された粒子を集める集塵ユニットが設置されることを特徴とする請求項１７に記載のサイクロン空気清浄機。
【請求項２６】
前記第２本体の上部には、前記各サイクロン本体から浄化空気を集め、集められた浄化空気を吐出する吐出案内ユニットが設置されることを特徴とする請求項１６に記載のサイクロン空気清浄機。
【請求項２７】
前記吐出案内ユニットの内部には、送風ファンが設置されることを特徴とする請求項２６に記載のサイクロン空気清浄機。
【請求項２８】
前記吐出案内ユニットの内部には、フィルタが設置されることを特徴とする請求項２６に記載のサイクロン空気清浄機。
【請求項２９】
前記吸入孔は、外部空気を前記側板の周りにかけて多方向で吸入するように、前記側板に分散・配列されることを特徴とする請求項１６に記載のサイクロン空気清浄機。
【請求項３０】
前記第２本体は、前記カバー部と前記第２吐出ユニットとが一体に形成された板状であることを特徴とする請求項１６に記載のサイクロン空気清浄機。
【請求項３１】
前記各サイクロン本体は、各同心円上に配列されることを特徴とする請求項１６に記載のサイクロン空気清浄機。
【請求項３２】
流入口と；
該流入口を通して空気及び粒子を集める空気流路を形成する第１及び第２板ユニットと、サイクロン本体を有する多数のサイクロンと、空気及び粒子が前記空気流路から前記サイクロン本体の内部に流入される前記第２板ユニットに形成される案内孔と、前記サイクロン本体の第１端部に形成され、前記第１板ユニットを通して前記サイクロン本体の内部から前記本体の第１外部に粒子を排出する第１吐出ユニットと、前記サイクロン本体の第２端部に形成され、前記第２板ユニットを通して前記サイクロン本体の内部から前記本体の第２外部に空気を排出する第２吐出ユニットとを有する本体と；
前記第１吐出ユニットを通して前記サイクロン本体の内部から前記本体の第１外部に排出される粒子を集める集塵ユニットと；
前記第２吐出ユニットを通して前記サイクロン本体の内部から前記本体の第２外部に排出される空気を集める吐出案内ユニットとを含むことを特徴とする空気清浄機。
【請求項３３】
前記多数のサイクロンは、互いに並列の中心軸を有しており、前記各サイクロンの第１及び第２吐出ユニットの中心は、各中心軸と並列に配置されることを特徴とする請求項３２に記載の空気清浄機。
【請求項３４】
前記サイクロン本体の第１端部は、前記第１板ユニットから前記集塵ユニットに向かって突出して前記第１吐出ユニットを形成することを特徴とする請求項３２に記載の空気清浄機。
【請求項３５】
前記サイクロン本体の第２端部は、前記第２板ユニットから前記吐出案内ユニットに向かって突出して前記第２吐出ユニットを形成することを特徴とする請求項３２に記載の空気清浄機。
【請求項３６】
前記吐出案内ユニットに含まれた空気を空気清浄機の外部に排出するファンモータユニットをさらに含むことを特徴とする請求項３２に記載の空気清浄機。
【請求項３７】
前記多数のサイクロンは、第１方向に配置されており、前記第１板ユニット、第２板ユニット、集塵ユニット、吐出案内ユニット及びファンモータユニットは、第２方向に配置されることを特徴とする請求項３６に記載の空気清浄機。
【請求項３８】
前記第１及び第２板ユニットは、第１方向に配置されて前記空気流路を形成することを特徴とする請求項３６に記載の空気清浄機。
【請求項３９】
前記各サイクロンは、前記案内孔を通して空気及び粒子を集める第１案内溝、第２案内溝、及びそれら第１案内溝と第２案内溝との間に形成された案内ダクトを有する案内ユニットをさらに含み、空気及び粒子は、前記第１案内溝、案内ダクト及び第２案内溝を通して前記空気流路から前記サイクロン本体の内部に流入されることを特徴とする請求項３２に記載の空気清浄機。
【請求項４０】
前記第１案内溝は、前記サイクロン本体の中心軸から第１距離だけ離隔されており、前記第２案内溝は、前記サイクロン本体の中心軸から第１距離より長い第２距離だけ離隔されることを特徴とする請求項３９に記載の空気清浄機。
【請求項４１】
前記第１案内溝、第２案内溝及び案内ダクトは、前記サイクロン本体の中心軸の偏心線上に配置されることを特徴とする請求項３９に記載の空気清浄機。
【請求項４２】
前記各サイクロンは、前記案内孔を通して前記サイクロン本体の内部に空気及び粒子を流入させるために、前記第２吐出ユニットの周囲に配置された案内ユニットをさらに含むことを特徴とする請求項３２に記載の空気清浄機。
【請求項４３】
前記本体は、流入孔を有する流入口が形成された側板をさらに含むことを特徴とする請求項３２に記載の空気清浄機。
【請求項４４】
空気清浄機は、側部、底部、上部及び中間部を有する円筒状であり、前記側板、集塵ユニット、吐出案内ユニット及び本体は、側部、底部、上部及び中間部にそれぞれ対応することを特徴とする請求項３２に記載の空気清浄機。
【請求項４５】
前記多数のサイクロンの中心線は、前記第１板ユニット及び第２板ユニットのうち少なくとも一つに垂直であることを特徴とする請求項３２に記載の空気清浄機。
【請求項４６】
前記多数のサイクロンは、前記本体の円周方向に配置されることを特徴とする請求項３２に記載の空気清浄機。
【発明の詳細な説明】
【技術分野】
【０００１】
本発明は、空気清浄機に関するもので、詳しくは、サイクロン装置を用いた空気清浄機に関するものである。
【背景技術】
【０００２】
サイクロン装置は、空気中の固体や液体粒子を取り除く装置であり、空気中の粒子が遠心力によって空気から分離される原理(以下‘サイクロン原理’という)を用いている。サイクロン装置の例は、特許文献１、２及び３などに開示されている。
【０００３】
一般に、従来の空気清浄機は、多数の板状のフィルタを用いており、前面を通して空気を吸入し、上方や側方を通して浄化空気を吐出する。このような従来の空気清浄機においては、前面を通してのみ空気を吸入し、多数の板状のフィルタを用いることにより、空気の流入量が比較的少ないという問題点があった。また、空気が多数の板状のフィルタを通過する構造であるため、流動空気に対する抵抗及び騷音が大きくなるという問題点があった。また、長時間用いる間、フィルタに埃などが積もるので、頻繁にフィルタを洗浄するか取り替えるべきであるという問題点があり、空気が埃の付着されたフィルタを通過するので、空気浄化能力にも限界があった。
【特許文献１】大韓民国公開特許公報第２００４−００４４２９７号
【特許文献２】大韓民国公開特許公報第２００３−００９４８７２号
【特許文献３】大韓民国公開特許公報第２００２−００７８７９８号
【発明の開示】
【発明が解決しようとする課題】
【０００４】
本発明は、上記の問題点を解決するためになされたもので、サイクロン原理を用いた空気清浄機を提供することを目的とする。
【０００５】
また、本発明は、空気浄化能力を向上し、流入空気の量を増加できるサイクロン空気清浄機を提供することを目的とする。
【０００６】
また、本発明は、多数のサイクロンを効果的に配置することで、大きな容量及びコンパクトな構造を有するサイクロン空気清浄機を提供することを目的とする。
【０００７】
また、本発明は、流動空気に対する抵抗によって発生する圧力損失及び騷音を減少できるサイクロン空気清浄機を提供することを目的とする。
【０００８】
また、本発明は、一体型サイクロン本体と一体型カバーユニットとを結合して多数のサイクロンを形成することで、製作工程を向上できるサイクロン空気清浄機を提供することを目的とする。
【０００９】
また、本発明は、フィルタの洗浄及び取替え工程数を減少することで、便利に使用できるサイクロン空気清浄機を提供することを目的とする。
【課題を解決するための手段】
【００１０】
上記の目的を達成するために、本発明によるサイクロン空気清浄機は、内部に空気流路を有する本体と、該本体に並列に設置されて前記空気流路と連通する多数のサイクロンと、を含み、前記本体の側板には、粒子を含む外部空気を前記本体の空気流路に流入する多数の吸入孔が形成され、前記各サイクロンの下部には、空気と分離された粒子の排出を案内する第１吐出ユニットが形成され、前記各サイクロンの上部には、第２吐出ユニットが形成される。
【００１１】
前記空気流路の空気を前記各サイクロンの内部に案内するための多数の案内ユニットをさらに含む。
【００１２】
前記案内ユニットは、各サイクロンの前記第２吐出ユニットの周りに形成される。前記案内ユニットは、前記各サイクロンの外部に設けられて前記空気流路と連通する第１案内溝と、該第１案内溝に流入された空気を前記各サイクロンに向けて案内する案内ダクトと、該案内ダクトから延長されて前記サイクロンの内部と連通する第２案内溝とを含む。
【００１３】
前記第１案内溝の第１深さは、前記第２案内溝の第２深さよりも深く、前記第２案内溝は、前記各サイクロンの内面に向かうように形成され、前記第１案内溝及び前記第２案内溝は、前記第２吐出ユニットに対して対向するように配置される。
【００１４】
前記第２吐出ユニットは、前記各サイクロンの内部に下側に突出する下側突出部を含む。
【００１５】
前記本体の下部には、前記各サイクロンの第１吐出ユニットを通して排出される分離された粒子を集める集塵ユニットが設置される。
【００１６】
前記本体の上部には、前記各サイクロンから浄化空気を集め、集められた浄化空気を吐出する吐出案内ユニットが設置され、前記吐出案内ユニットの内部には、送風ファン及びフィルタが設置される。
【００１７】
前記多数の吸入孔は、本体周囲の外部空気を吸入するように前記側板に分散・配列される。また、前記多数の吸入孔は、外部空気を全周にかけて吸入するように前記側板の全周に沿って分散・配列される。
【００１８】
前記多数のサイクロンは、各同心円上に配置される。
【００１９】
また、本発明によるサイクロン空気清浄機は、空気流路を形成する上板及び下板と、外部空気が前記空気流路に流入されるように案内する多数の吸入孔が形成された側板と、を含む円筒状の第１本体と、該第１本体に並列に設置されて前記空気流路とそれぞれ連通し、上部は前記上板の開口部に配置され、下部は前記下板を貫通して第１吐出ユニットを形成する多数のサイクロン本体と、前記上板の各開口部をカバーするカバー部が設けられ、前記各カバー部に前記サイクロンから浄化空気の吐出を案内する第２吐出ユニットが形成された第２本体とを含む。
【００２０】
前記第１本体の上板及び前記各サイクロン本体は、一体に形成される。また、前記吸入孔は、外部空気を前記側板の周りにかけて多方向で吸入するように、前記側板に分散・配列される。
【００２１】
前記第２本体は、前記カバー部と前記第２吐出ユニットとが一体に形成された板状である。また、前記各サイクロン本体は、各同心円上に配列される。
【発明の効果】
【００２２】
本発明によるサイクロン空気清浄機は、サイクロン原理を用いて汚染物質及び埃を吸入空気から分離するので、従来のフィルタ方式の空気清浄機よりも吸入空気を効果的に浄化でき、特に、吸入空気が多数のフィルタを通過する必要がないので、流動空気に対する抵抗及び騷音を大いに減少できる。
【００２３】
また、本発明によるサイクロン空気清浄機は、取り除かれた汚染物質及び埃粒子が空気流路と別途に設置された集塵ユニットに集まるので、空気が汚染物質や埃粒子を通過しなくなり、空気浄化性能を向上できる。
【００２４】
また、本発明によるサイクロン空気清浄機は、側板の全面に形成された吸入孔を通して空気が吸入されるので、全方向で空気を浄化できる。
【００２５】
また、本発明によるサイクロン空気清浄機は、多数のサイクロンを並列に配置し、各同心円上に配置するので、大きな空気浄化能力を有するコンパクトな構造を実現できる。
【００２６】
また、本発明によるサイクロン空気清浄機は、多数のサイクロン本体を一体化し、多数の案内ユニット及び吐出ユニットを一つのサイクロンカバーユニットに一体に形成することにより、製作工程が単純になる。
【００２７】
また、本発明によるサイクロン空気清浄機は、汚染物質及び埃粒子がサイクロン本体で取り除かれるため、付加的に設置されたフィルタの取替え及び洗浄動作を減少できる。
【発明を実施するための最良の形態】
【００２８】
以下、本発明によるサイクロン空気清浄機の一実施形態を図面に基づいて説明する。
【００２９】
図１及び図２に示すように、本発明の一実施形態によるサイクロン空気清浄機は、多数のサイクロン１１０を有して形成され、サイクロン原理を用いて空気を浄化する本体１００を備えている。以下、本体１００の構造を詳しく説明する。
【００３０】
本体１００の上部には、浄化空気が外部に吐出されるように案内する吐出案内ユニット２０１が設置される。この吐出案内ユニット２０１は、下側に開放されて本体１００と結合され、吐出案内ユニット２０１の内部上側には、送風ファン２０２が設置され、この送風ファン２０２の上面には、送風ファン２０２を駆動するファンモーター２０３が設置される。また、吐出案内ユニット２０１の下面は、本体１００の上部に固定される。
【００３１】
吐出案内ユニット２０１の内部には、本体１００から吐出される空気をろ過するためのエアフィルタ２０４が設置される。このエアフィルタ２０４は、本体１００で取り除かれてない微細な汚染物質または埃粒子をろ過するためのもので、必要によって選択的に使用できるように、吐出案内ユニット２０１に着脱自在に付着される。また、このエアフィルタ２０４は、光触媒フィルタまたは脱臭用フィルタと一緒に用いられるか、これらに取り替えられる。
【００３２】
本体１００の下部には、上部が上側に開放された円筒状の集塵ユニット２０５が設置される。この集塵ユニット２０５は、本体１００でろ過される埃粒子などの多様な汚染物質を集めるもので、掃除できるように本体１００に着脱自在に付着される。また、集塵ユニット２０５の内部には、汚染物質を収容する引出し式の埃収集箱が設置される。
【００３３】
以下、本体１００の構造を説明する。本体１００は、多数のサイクロン１１０が並列に配置された第１本体１００’と、この第１本体１００’の上部に結合されて第２本体として機能するサイクロンカバーユニット１２１と、を備えている。第１本体１００’には、多数のサイクロン１１０が各同心円上に配置され、サイクロンカバーユニット１２１(第２本体)は、本体１００から吐出された空気を各サイクロン１１０の内部に案内する多数の案内ユニット１１４と、各サイクロン１１０でろ過された空気を吐出する多数の第２吐出ユニット１１３とを含んでいる。
【００３４】
図３に示すように、第１本体１００’は、サイクロンカバーユニット１２１の底面に付着された上板１２２と、この上板１２２と所定距離だけ離隔設置され、各サイクロン本体１１１の下部を支持する下板１２３と、これら上板１２２と下板１２３との間の側面周りに設けられる側板１２４とを備えている。
【００３５】
円筒状の側板１２４には、外部から空気を吸入するための多数の吸入孔１２４ａが形成される。これら多数の吸入孔１２４ａは、側板１２４全体の周りに形成されることで、多方向で空気を吸入できる。また、この側板１２４は、大きな汚染粒子を予めろ過するプリフィルタとしての機能をする。
【００３６】
上板１２２と下板１２３との間の空間には、吸入空気を多数のサイクロン１１０に分配する空気流路１２５が設けられる。上板１２２には、案内孔１２２ａが形成されており、側板１２４の吸入孔１２４ａを通して上板１２２と下板１２３との間の空気流路１２５に吸入された空気は、サイクロンカバーユニット１２１の各案内ユニット１１４を通して各サイクロン１１０の内部に案内される。
【００３７】
第１本体１００’に形成された各サイクロン１１０は、管状のサイクロン本体１１１を備えている。この管状のサイクロン本体１１１は、同一の直径を有する円筒部１１１ａと、この円筒部１１１ａの下部から延長され、下側に行くほど狭くなる円錐部１１１ｂと、から構成される。円錐部１１１ｂの下部には、第１吐出ユニット１１１ｃが形成される。
【００３８】
サイクロンカバーユニット１２１には、サイクロン本体１１１の円筒部１１１ａの上部をカバーするためのカバー１１２が設けられ、カバー１１２の中央部には、第２吐出ユニット１１３が形成される。また、この第２吐出ユニット１１３は、サイクロン本体１１１の中心軸上に形成される吐出部１１３ａと、上側に突出される上側突出部１１３ｂと、下側に突出される下側突出部１１３ｃとを備えている。
【００３９】
案内ユニット１１４は、サイクロンカバーユニット１２１から上側に突出形成され、吸入空気を空気流路１２５からサイクロン１１０の内部に案内する。また、案内ユニット１１４は、第２吐出ユニット１１３に対して略半円状に形成される。
【００４０】
図７は、図３のサイクロン空気清浄機の案内ユニットを示すための図３のＶＩＩ-ＶＩＩ線断面図であり、図示したように、案内ユニット１１４は、空気流路１２５と連通される第１案内溝１１４ａと、サイクロン１１０の内部と連通される第２案内溝１１４ｂと、これら第１及び第２案内溝１１４ａ，１１４ｂを連結する案内ダクト１１４ｃと、を備えている。案内ダクト１１４ｃは、第１案内溝１１４ａの近くで高さが頂点に達した後、第２案内溝１１４ｂ側に行くほど低くなる。すなわち、第１案内溝１１４ａは、第２案内溝１１４ｂよりも深く形成される。したがって、案内ユニット１１４に吸入された空気は、第２案内溝１１４ｂ側に流れながら下側に回転して流れ、サイクロン１１０のサイクロン本体１１１の内部に吸入されるとき、下側にやや傾斜する。第１案内溝１１４ａは、吐出部１１３ａの中心部から第１距離だけ離隔され、第２案内溝１１４ｂは、吐出部１１３ａの中心部から第２距離だけ離隔される。ここで、第２距離は、第１距離よりも短い。
【００４１】
図８は、サイクロンカバーユニット１２１の一部を示した底面図であり、図８には、第２吐出ユニット１１３及び案内ユニット１１４が示されている。第１案内溝１１４ａ及び第２案内溝１１４ｂは、第２吐出ユニット１１３の中心軸に対して対向配置され、第２案内溝１１４ｂは、サイクロン１１０のサイクロン本体１１１の内面に向かって形成される。
【００４２】
したがって、サイクロン本体１１１の円筒部１１１ａの内面に流入された空気は、円筒部１１１ａの内面に沿って螺旋方向に回転しながら徐々に下降し、円錐部１１１ｂに流入される。空気が円錐部１１１ｂで螺旋方向に継続して回転することで、重い埃粒子や汚染物質は、遠心分離されて第１吐出ユニット１１１ｃを通して下側に排出され、集塵ユニット２０５に集まる。浄化空気は、サイクロン１１０の内部中央を通して上昇し、第２吐出ユニット１１３を通して吐出案内ユニット２０１の内部に吐出される。
【００４３】
図９は、図６のサイクロン空気清浄機の第１本体１００’の上板１２２の一部を示した拡大図であり、図示したように、案内孔１２２ａは、案内ユニット１１４の第１案内溝１１４ａに対応して形成されており、案内ユニット１１４は、第１案内溝１１４ｂ及び上板１２２の案内孔１２２ａを通して空気流路１２５と連通される。ここで、図７及び図９に示した矢印は、空気の流れ方向を示している。
【００４４】
第１本体１００’の上板１２２及びサイクロン本体１１１は、一体に形成される。すなわち、円板状の上板１２２に多数のサイクロン本体１１１が一体に形成され、多数のサイクロン１１０は、図６に示すように、多数の同心円上に配列される。
【００４５】
すなわち、第１本体１００’の中央部に２個のサイクロン１１０が配置され、その外側には、７個のサイクロン１１０が同心円をなして配置され、さらに外側には、より多いサイクロン１１０が各同心円をなして配置される。したがって、多数のサイクロン１１０は、本体１００内に効果的に配置される。
【００４６】
また、上板１２２に形成された案内孔１２２ａは、各サイクロン１１０に近接して配置される。各案内孔１２２ａが各サイクロン１１０に対応して配置されるため、案内孔１２２ａは、サイクロン１１０と同一の同心円をなすようになる。
【００４７】
サイクロンカバーユニット１２１の案内ユニット１１４及び第２吐出ユニット１１３も、一体に形成される。すなわち、案内ユニット１１４及び第２吐出ユニット１１３は、各サイクロンに対応して各同心円をなして配置される(図４及び図５を参照)。
【００４８】
このように、多数のサイクロン１１０が各同心円をなして配置されることで、コンパクトな構造によっても多数のサイクロン１１０を形成できる。また、一体型の第１本体１１０’の上板１２２に一体型のサイクロンカバーユニット１２１を結合して多数のサイクロン１１０が一緒に形成されるので、サイクロン１１０、案内ユニット１１４及び第２吐出ユニット１１３の個別的な製作工程に比べて製作原価を節減できる。
【００４９】
以下、本体１００における空気の流れを説明する。
【００５０】
埃粒子を含む汚染空気は、側板１２４の吸入孔１２４ａを通して本体１００の内部に流入される。この流入された空気は、空気流路１２５に沿って流れながら、各サイクロン１１０に分配されて吸入される。
【００５１】
さらに詳しく説明すると、側板１２４の吸入孔１２４ａを通して空気流路１２５に流入された空気は、第１本体１１０’の上板１２２に形成された案内孔１２２ａを通過しながら分配され、各サイクロン１１０の内部に案内される。すなわち、案内ユニット１１４の第１案内溝１１４ａに流入された空気は、螺旋状の案内ダクト１１４ｃに沿って流れながら旋回気流を形成しはじめる。
【００５２】
案内ユニット１１４の空気は、第２案内溝１１４ｂを通してサイクロン本体１１１の内部に流入される。サイクロン本体１１１に流入された空気は、サイクロン本体１１１の円筒部１１１ａ及び円錐部１１１ｂの内面に沿って流れながら旋回気流を形成する。
【００５３】
この旋回気流は、継続して下降するが、このとき、空気中に含まれた埃粒子は、旋回気流に沿って回転しながら遠心力及び重力によって空気から分離され、第１吐出ユニット１１１ｃを通して排出される。サイクロン本体１１１の中心部において、埃粒子の分離された浄化空気は、上昇する旋回気流を形成し、第２吐出ユニット１１３を通して本体１００の外部に吐出される。
【００５４】
以下、本発明によるサイクロン空気清浄機の全体的な動作を説明する。
【００５５】
サイクロン空気清浄機の運転が開始されると、ファンモーター２０３の駆動によって送風ファン２０２が回転する。サイクロン空気清浄機の周囲の空気は、 送風ファン２０２の吸入力によって本体１００に吸入される。本体１００では、上記のように吸入された空気を浄化し、分離された埃粒子は集塵ユニット２０５に排出し、浄化空気は吐出案内ユニット２０１に排出する。吐出案内ユニット２０１の浄化空気は、エアフィルタ２０４を通過し、浄化空気に残った汚染物質または埃粒子が取り除かれるか、または、殺菌及び脱臭後にサイクロン空気清浄機の外部に排出される。
【図面の簡単な説明】
【００５６】
【図１】本発明の一実施形態によるサイクロン空気清浄機を示した分解斜視図である。
【図２】図１のサイクロン空気清浄機を示した側断面図である。
【図３】図１のサイクロン空気清浄機を示した切開斜視図である。
【図４】図１のサイクロン空気清浄機のサイクロンカバーユニットを示した平面図である。
【図５】図１のサイクロン空気清浄機のサイクロンカバーユニットを示した底面図である。
【図６】図１のサイクロン空気清浄機の第１本体の上板を示した平面図である。
【図７】図３のサイクロン空気清浄機の案内ユニットを示すための図３のＶＩＩ-ＶＩＩ線断面図である。
【図８】図５のサイクロン空気清浄機のサイクロンカバーユニットの一部を示した拡大図である。
【図９】図６のサイクロン空気清浄機の上板の一部を示した拡大図である。
【符号の説明】
【００５７】
１００    本体
１００’  第１本体
１１０    サイクロン
１１３    第２吐出ユニット
１１４    案内ユニット
１２１    サイクロンカバーユニット
１２２    上板
１２２ａ  案内孔
１２４    側板
１２４ａ  吸入孔
２０１    吐出案内ユニット
２０３    ファンモータ
２０４    エアフィルタ
２０５    集塵ユニット
【図１】
2006167708.tif 000003
【図２】
2006167708.tif 000004
【図３】
2006167708.tif 000005
【図４】
2006167708.tif 000006
【図５】
2006167708.tif 000007
【図６】
2006167708.tif 000008
【図７】
2006167708.tif 000009
【図８】
2006167708.tif 000010
【図９】
2006167708.tif 000011